(57)【要約】  マスク１０は、本発明の一実施形態に従い、対象者１２の１つ又はそれより多くの外口（例えば、鼻孔及び／又は口）への治療用ガス供給に使用することができる。マスク１０は、マスクボディ１４、封止部１６、供給源コネクタ１８及び排気バルブ２０を含む。マスク１０は、チャンバー２４が対象者１２の１つ又はそれより多くの外口を包みこむ、マスク１０及び対象者１２の顔２２により形成されるよう、その間に、封止界面を有して、対象者１２の顔に対向して配置されるよう構成することができる。使用の間、呼吸に適した物質が、供給源コネクタ１８を通じて、呼吸に適した物質の供給源から、チャンバー２４に、供され得る。
2012513808.tif 000002
【特許請求の範囲】
【請求項１】
対象者の気道の１つ又は複数の外口を包みこむよう構成されるマスクボディであって、当該マスクボディは、呼吸に適した物質を当該マスクボディにより包みこまれる前記１つ又は複数の外口に伝えることができる、物質開口部を形成する、マスクボディ；
前記マスクボディ上に配置される供給源コネクタであって、当該供給源コネクタは、前記マスクボディの前記物質開口部と、当該供給源コネクタ内に形成される供給源接合部分開口部と、の間のガス流路を形成する導管を含み、当該供給源コネクタは、前記マスクボディの前記物質開口部と前記供給源接合部分開口部との間の前記ガス流路に、前記呼吸に適した物質の供給源を接続するよう構成される、供給源コネクタ；
前記マスクボディに取り付けられ、前記対象者の前記気道の前記１つ又は複数の外口を囲むように、前記対象者の顔と前記マスクボディとの間の実質的な封止係合を供するよう構成される、マスク封止部；及び
前記供給源コネクタ上に配置され、前記供給源コネクタにより形成されるガス流路内のガスを、周囲雰囲気へと排気できるよう、かつ、周囲雰囲気の流入から前記ガス流路を実質的に封止できるよう、構成される、一方向バルブ；
を含む、呼吸に適した物質の供給のために、対象者の気道を実質的に封止するためのマスク。
【請求項２】
前記一方向バルブは、もし開放するなら、前記供給源コネクタにより形成される前記ガス流路と周囲雰囲気とを連通する、前記供給源コネクタ内の排気開口部を形成し、
前記一方向バルブは、
（１）周囲雰囲気の流入から前記ガス流路を実質的に封止するために、前記対象者による吸気の間、前記排気開口部を覆うよう、かつ、
（２）前記対象者の前記１つ又は複数の外口から吐き出されたガスを、周囲雰囲気に排気するために、前記対象者による呼気の間、前記排気開口部を除覆するよう、
構成される１つ又は複数のバルブ部材を含む、請求項１に記載のマスク。
【請求項３】
前記１つ又は複数のバルブ部材は、前記排気開口部が覆われているかどうかについての、視覚的な表示を供するよう構成される、請求項２に記載のマスク。
【請求項４】
前記１つ又は複数のバルブ部材は、前記排気開口部を除覆するために、前記排気開口部から離れるよう作動を行うフラップを有し、
前記排気開口部から離れる、前記バルブ部材の前記作動が、前記排気開口部が覆われているかどうかについての、視覚的な前記表示を供する、
請求項３に記載のマスク。
【請求項５】
前記吐き出されたガスが前記排気開口部を通じて周囲雰囲気に排気されるとき、前記排気開口部を除覆するために、前記１つ又は複数のバルブ部材は、前記対象者の前記１つ又は複数の外口から吐き出されたガスの力によって前記排気開口部から離れるよう作動を行う、請求項３に記載のマスク。
【請求項６】
前記１つ又は複数のバルブ部材は、複数のバルブ部材から成り、
該バルブ部材の少なくとも１つは、他の前記バルブ部材より少ない力で、前記排気開口部から離れるように前記作動を行うよう構成される、請求項５に記載のマスク。
【請求項７】
前記一方向バルブにより実質的に妨げられない、前記対象者の前記気道の前記１つ又は複数の外口の視界が、介護人に供されるよう、前記マスクボディは、少なくとも一部分において、実質的に透明な材料で形成される、請求項１に記載のマスク。
【請求項８】
対象者の気道の１つ又は複数の外口を包みこむチャンバーを形成し、該チャンバーの一部は、前記対象者の顔により形成される、形成手段；
供給源接合部分開口部と、該供給源接合部分開口部に呼吸に適した物質の供給源を接続することにより前記チャンバー内に形成される物質開口部と、の間のガス流路を形成する導管を介して、前記チャンバーと連通する前記呼吸に適した物質の供給源を設置する、設置手段；
周囲雰囲気から前記導管への流入を許すことなく、前記導管を通じて、前記呼吸に適した物質の前記供給源から前記チャンバーに、前記呼吸に適した物質を供給する、供給手段；及び
前記導管内の排気開口部を通じて、前記対象者により吐き出されたガスを、周囲雰囲気に排出する排出手段；
を含む、呼吸に適した物質の供給のために、対象者の気道を実質的に封止するためのマスク。
【請求項９】
前記供給手段は、前記排気開口部を、１つ又は複数のバルブ部材を有するバルブ部材で覆う手段を含み、
前記排気手段は、前記排気開口部を除覆するために、前記排気開口部から離れるよう、前記１つ又は複数のバルブ部材の作動をさせる手段を含む、
請求項８に記載のマスク。
【請求項１０】
前記排気開口部が覆われているかどうかについての、視覚的な表示を供する手段をさらに含む、請求項９に記載のマスク。
【請求項１１】
前記１つ又は複数のバルブ部材はフラップを含み、
前記排気開口部から離れる、前記フラップの前記作動は、前記排気開口部が覆われているかどうかについての、視覚的な前記表示を供する、請求項１０に記載のマスク。
【請求項１２】
前記吐き出されたガスが前記排気開口部を通じて周囲雰囲気に排気されるとき、前記排気開口部を除覆するために、前記１つ又は複数のバルブ部材は、前記対象者の前記１つ又は複数の外口から吐き出されたガスの力によって前記排気開口部から離れるよう前記作動を行う、請求項１０に記載のマスク。
【請求項１３】
前記１つ又は複数のバルブ部材は、複数のバルブ部材から成り、
該バルブ部材の少なくとも１つは、他の前記バルブ部材より少ない力で、前記排気開口部から離れるように前記作動を行うよう構成される、請求項１２に記載のマスク。
【請求項１４】
前記排気開口部と、該排気開口部を覆う前記１つ又は複数のバルブ部材と、により実質的に妨げられない、前記対象者の前記気道の前記１つ又は複数の外口の視界が、介護人に供されるよう、前記チャンバーは、少なくとも一部分において、実質的に透明な材料で形成される、請求項９に記載のマスク。
【請求項１５】
対象者の気道の１つ又は複数の外口を包みこむチャンバーを形成し、該チャンバーの一部は、前記対象者の顔により形成される、形成段階；
供給源接合部分開口部と、該供給源接合部分開口部に呼吸に適した物質の供給源を接続することにより前記チャンバー内に形成される物質開口部と、の間のガス流路を形成する導管を介して、前記チャンバーと連通する前記呼吸に適した物質の供給源を設置する、設置段階；
周囲雰囲気から前記導管への流入を許すことなく、前記導管を通じて、前記呼吸に適した物質の前記供給源から前記チャンバーに、前記呼吸に適した物質を供給する、供給段階；及び
前記導管内の排気開口部を通じて、前記対象者により吐き出されたガスを、周囲雰囲気に排出する排出段階；
を含む、呼吸に適した物質の供給のために、対象者の気道を実質的に封止する方法。
【請求項１６】
前記供給段階は、前記排気開口部を、１つ又は複数のバルブ部材を有するバルブ部材で覆う手段を含み、
前記排気段階は、前記排気開口部を除覆するために、前記排気開口部から離れるよう、前記１つ又は複数のバルブ部材の作動をさせる段階を含む、
請求項１５に記載の方法。
【請求項１７】
前記排気開口部が覆われているかどうかについての、視覚的な表示を供する段階をさらに含む、請求項１６に記載の方法。
【請求項１８】
前記１つ又は複数のバルブ部材はフラップを含み、
前記排気開口部から離れる、前記フラップの前記作動は、前記排気開口部が覆われているかどうかについての、視覚的な前記表示を供する、請求項１７に記載の方法。
【請求項１９】
前記吐き出されたガスが前記排気開口部を通じて周囲雰囲気に排気されるとき、前記排気開口部を除覆するために、前記１つ又は複数のバルブ部材は、前記対象者の前記１つ又は複数の外口から吐き出されたガスの力によって前記排気開口部から離れるよう作動を行う、請求項１７に記載の方法。
【請求項２０】
前記１つ又は複数のバルブ部材は、複数のバルブ部材を含み、
前記バルブ部材の少なくとも１つは、他の前記バルブ部材より少ない力で、前記排気開口部から離れるように前記作動を行うよう構成される、請求項１９に記載の方法。
【請求項２１】
前記排気開口部と、該排気開口部を覆う前記１つ又は複数のバルブ部材と、により実質的に妨げられない、前記対象者の前記気道の前記１つ又は複数の外口の視界が、介護人に供されるよう、前記チャンバーは、少なくとも一部分において、実質的に透明な材料で形成される、請求項１６に記載の方法。
【発明の詳細な説明】
【技術分野】
【０００１】
〔関連出願の相互参照〕
本出願は、２００８年１２月３０日に出願された米国仮出願第６１／１４１，２５３号の３５  Ｕ．Ｓ．Ｃ．第１１９条（ｅ）の下で優先権を主張するものであり、その内容は、参照することにより本明細書に組み込まれる。
【０００２】
本出願は、２００８年１２月３０日に出願された米国特許出願第６１／１４１，２５４号に関連し、その内容全体を、本明細書に組み入れる。
【０００３】
本発明は、対象者の気道に、治療用の呼吸に適した物質の供給に関する。
【背景技術】
【０００４】
従来のネブライザー、スペーサ及び他の治療用ガス供給機構は、呼吸に適した物質の供給のために、対象者の鼻の穴及び／又は口を包み込むマスクを実装する。通常、これらのマスクは、対象者により大気に吐き出された排気ガスのための、排気バルブを含む。これらのバルブは、通常、マスクの本体に形成されており、介護人（ｃａｒｅｇｉｖｅｒ）が治療を観察するために、マスクを通じて対象者の鼻及び又は口の視界（ｖｉｅｗ）を妨げうる。従来のマスクでは、観察している介護人に、対象者が排気したかどうかについての、適切な指標を供することができない。このことは、呼吸に関して薬が投与されている治療にとって、重要でありうる。
【発明の概要】
【０００５】
本発明の一様態は、呼吸に適した物質を供給するために、対象者の気道を実質的に（ｓｕｂｓｔａｎｔｉａｌｌｙ）封止するためのマスクに関する。一実施様態において、マスクは、マスクボディ、供給源コネクタ（ｓｏｕｒｃｅ  ｃｏｎｎｅｃｔｏｒ）、マスク封止部及び一方向バルブを含む。マスクボディは、対象者の気道の１つ又はそれより多くの外口を包み込むよう構成され、かつ、呼吸に適した物質が、前記マスクボディにより包みこまれる前記対象者の１つ又はそれより多くの外口に伝えられる、物質開口部を形成する。供給源コネクタは、前記マスクボディ上に配置され、前記マスクボディの前記物質開口部と、前記供給源コネクタ内に形成される供給源接合部分開口部（ｓｏｕｒｃｅ  ｉｎｔｅｒｆａｃｅ  ｏｐｅｎｉｎｇ）と、の間のガス流路を形成する導管（ｃｏｎｄｕｉｔ）を含む。前記供給源コネクタは、前記マスクボディの前記物質開口部と、前記供給源接合部開口部との間の、ガス流路に、呼吸に適した物質の供給源を接続するよう構成される。マスク封止部は、前記マスクボディに取り付けられ、前記対象者の顔と、前記対象者の前記気道の１つ又はそれより多くの外口の周りの前記マスクボディとの間で、実質的に封止された係合を供するよう構成される。前記一方向バルブは、前記供給源コネクタ上に配置され、前記供給源コネクタにより形成されたガス流路内のガスが、周囲雰囲気に排気できるよう、かつ、周囲雰囲気の流入物からガス流路を実質的に封止するよう、構成される。
【０００６】
本発明の他の様態は、呼吸に適した物質の供給のために、対象者の気道を実質的に封止するマスクに関する。一実施様態において、マスクは、対象者の気道の１つ又はそれより多くの外口を包み込むチャンバー（ｃｈａｍｂｅｒ）を形成し、該チャンバーの一部は、前記対象者の顔により形成される、形成手段；供給源接合部分開口部と、該供給源接合部分開口部に呼吸に適した物質の供給源を接続することにより、前記チャンバー内に形成される、物質開口部と、の間で、ガス流路を形成する導管を介して前記チャンバーと連通して、前記呼吸に適した物質の源を設置するための、設置手段；周囲雰囲気から前記導管に流入を許すことなく、前記導管を通じて、前記呼吸に適した物質の前記供給源から前記導管に、前記呼吸に適した物質を供給する、供給手段；及び前記導管内の排気開口部を通じて、周囲雰囲気に、前記対象者により吐き出されたガスを排気する、排気手段、を含む。
【０００７】
本発明の他の様態は、呼吸に適した物質を供給するために、対象者の気道を実質的に封止する方法に関する。一実施様態において、方法は、対象者の気道の１つ又はそれより多くの外口を包み込むチャンバー（ｃｈａｍｂｅｒ）であって、該チャンバーの一部は、前記対象者の顔により形成されている、チャンバー形成段階；供給源接合部分開口部と、該供給源接合部分開口部に呼吸に適した物質の供給源を接続することにより、前記チャンバー内に形成される、物質開口部と、の間で、ガス流路を形成する導管を介して前記チャンバーと連通して、前記呼吸に適した物質の源を設置する、設置段階；周囲雰囲気から前記導管に流入を許すことなく、前記導管を通じて、前記呼吸に適した物質の前記供給源から前記導管に、前記呼吸に適した物質を供給する、供給段階；及び前記導管内の排気開口部を通じて、周囲雰囲気に、前記対象者により吐き出されたガスを排気する、排気段階を含む。
【０００８】
本発明の他の様態は、呼吸に適した物質を供給するために、対象者の気道を実質的に封止するマスクに関する。一実施様態において、マスクは、マスクボディ、前記マスクボディ内に形成される１つ又はそれより多くの排気開口部、第一バルブ部材、及び第二バルブ部材を含む。前記マスクボディは、対象者の気道の１つ又はそれより多くの外口を包み込むよう構成され、前記マスクボディ及び前記対象者の顔は、前記マスクボディにより包みこまれる前記対象者の前記気道の前記１つ又はそれより多くの外口の周りのチャンバーを形成する。前記マスクボディはさらに、呼吸に適した物質の供給源と、前記チャンバーとを接続するよう構成される供給源コネクタを含み、前記呼吸に適した物質のフローは、前記供給源コネクタを通じて前記供給源から前記チャンバーに供給される。前記マスクボディ内に形成される前記１つ又はそれより多くの排気開口部は、前記チャンバー内のガスを、周囲雰囲気に排気する。前記第一バルブ部材は、前記１つ又はそれより多くの排気開口部を介して前記チャンバーに入ることによる周囲雰囲気のガスの流入を阻止するよう、前記１つ又はそれより多くの排気開口部の第一部を覆う。もし、前記チャンバー内の呼気ガスの圧力が、第一圧力と等しい又はそれより大きいなら、前記ガスを排気するために、前記対象者の前記気道の前記１つ又はそれより多くの外口からのガスの呼気が、前記第一バルブ部材により覆われる前記１つ又はそれより多くの排気開口部の第一部の覆いを取るために前記第一バルブ部材を作動する力を加えるよう、前記第一バルブ部材は構成される。前記第二バルブ部材は、前記１つ又はそれより多くの排気開口部を介して前記チャンバーに入ることによる周囲雰囲気のガスの流入を妨げるよう、前記１つ又はそれより多くの排気開口部の第二部を覆う。前記第二バルブ部材は、もし、前記チャンバー内の呼気ガスの圧力が、第二圧力と等しい又はそれより大きいなら、前記対象者の前記気道の前記１つ又はそれより多くの外口からのガスの呼気が、前記第二バルブ部材により覆われる前記１つ又はそれより多くの排気開口部の第二部の覆いを取るために前記第二バルブ部材を作動する力を加えるよう、前記第一バルブ部材は構成される。前記第一圧力は、前記第二圧力より低く、呼気ガスによる前記第一部材の作動は、前記対象者による比較的弱い呼気について、介護人に指標を供し、呼気ガスによる前記第二バルブ部材の作動は、前記対象者によるより強い呼気の間、前記第一バルブ部材の作動と一緒に起こり、比較的強い呼気の間、前記１つ又はそれより多くの排気開口部を通じるガスフローに対する抵抗を減少させる。
【０００９】
本発明の他の様態は、呼吸に適した物質の供給のために、対象者の気道を実質的に封止する方法に関する。一実施様態において、方法は、対象者の気道の１つ又はそれより多くの外口を包み込むチャンバーであって、該チャンバーの一部は、前記対象者の顔により形成される、形成段階；１つ又はそれより多くの排気開口部を介して前記チャンバーを入ることによる周囲雰囲気のガスの流入を阻止し、前記１つ又はそれより多くの排気開口部は、前記１つ又はそれより多くの排気開口部の第一部を覆う第一バルブ部材と、前記１つ又はそれより多くの排気開口部の第二部を覆う第二バルブ部材と、により、少なくとも一部分において阻止される、阻止段階；前記チャンバー内の第一圧力で又はそれより高くで、前記チャンバー内のガスを大気に放出するために、前記第一バルブ部材により覆われる前記１つ又はそれより多くの排気開口部の第一部を除覆する、第一除覆段階；前記チャンバー内の第二圧力で又はそれより高くで、前記チャンバー内のガスを大気に放出するために、前記第二バルブ部材により覆われる前記１つ又はそれより多くの排気開口部の第二部を除覆する、第二除覆段階を含む。前記第一除覆段階及び前記第二除覆段階では、前記第一圧力は、前記第二圧力より低く、前記第一除覆段階は、前記対象者による比較的弱い呼気について、介護人に指標を供し、前記第二除覆段階は、比較的強い呼気の間、前記１つ又はそれより多くの排気開口部を通じるガスフローに対する抵抗を減少させるため、前記対象者によるより強い呼気の間、前記第一バルブ部材により覆われる前記１つ又はそれより多くの開口部の第一部の除覆と一緒に起こる。
【００１０】
本発明の他の様態は、呼吸に適した物質の供給のために、対象者の気道を実質的に封止するよう構成されるマスクに関する。一実施様態において、マスクは、対象者の気道の１つ又はそれより多くの外口を包みこむチャンバーを形成し、該チャンバーの一分は、前記対象者の顔により形成される、形成手段；周囲雰囲気のガスの流入を、１つ又はそれより多くの排気開口部を介して前記チャンバーに入ることによる阻止する、阻止手段であって、該阻止手段は、前記一つ又はそれより多くの排気開口部の第一部を覆う第一バルブ部材と、前記一つ又はそれより多くの排気開口部の第二部を覆う第二バルブ部材と、を含む、阻止手段；前記チャンバー内の第一圧力で又はそれより高くで、前記チャンバー内のガスを大気に放出するために、前記第一バルブ部材により覆われる前記１つ又はそれより多くの排気開口部の第一部を除覆する、第一除覆段階のための手段；前記チャンバー内の第二圧力で又はそれより高くで、前記チャンバー内のガスを大気に放出するために、前記第二バルブ部材により覆われる前記１つ又はそれより多くの排気開口部の第二部を除覆する、第二除覆段階のための手段；を含む。前記第一除覆段階及び前記第二除覆段階では、前記第一圧力は、前記第二圧力より低く、前記第一除覆手段は、前記対象者による比較的弱い呼気について、介護人に指標を供し、前記第二除覆手段は、比較的強い呼気の間、前記１つ又はそれより多くの排気開口部を通じるガスフローに対する抵抗を減少させるため、前記対象者によるより強い呼気の間、前記第一除覆段階と一緒に起こる。
【図面の簡単な説明】
【００１１】
【図１】図１は、本発明の１つ又はそれより多くの実施形態に従って、治療用ガス供給に使用するためのマスク１０を説明する。
【図２】図２は、本発明の１つ又はそれより多くの実施形態に従って、治療用ガス供給に使用するためのマスク１０を説明する。
【図３】図３は、本発明の１つ又はそれより多くの実施形態に従って、治療用ガス供給に使用するためのマスク１０を説明する。
【図４】図４は、本発明の１つ又はそれより多くの実施形態に従って、治療用ガス供給に使用するためのマスク１０を説明する。
【図５】図５は、本発明の１つ又はそれより多くの実施形態に従って、呼吸に適した物質の供給を促進するために、大気から対象者の気道を区分けするための方法を説明する。
【発明を実施するための形態】
【００１２】
本発明のこれら及び他の目的、特徴及び特性、さらに、構造の関連する構成要素に関する動作方法及び機能、そして、各部分と製造の経済性との連係は、すべてが本明細書の一部を構成する添付の各図面を参照して、以下の説明及び添付する特許請求の範囲を考察することにより、より明らかになるであろう。ここで、同様の参照符号は種々の図における対応する部分を表している。本発明の一実施様態において、ここで説明される構造的な構成要素は、一定の比率の縮尺で描かれている。しかしながら、図は、説明及び記載だけのためであり、本発明を制限するものではない、ということが、明確に理解され得る。さらに、如何なる一実施形態で示される又は述べられる構造的な特徴は、他の実施様態でも同様に使用することができるということが、理解されるべきである。本明細書及び特許請求の範囲で使用されるような、単数形“ａ”“ａｎ”および“ｔｈｅ”は、そうでないことを文脈が明確に示さない限り、複数形も含むことが意図される。
【００１３】
図１は、本発明の一実施形態に従って、対象者１２の１つ又はそれより多くの外口（例えば、鼻孔及び／又は口）への治療用ガス供給の使用のための、マスク１０を説明する。マスク１０は、通常、マスクボディ１４、封止部１６、供給源コネクタ１８及び排気バルブ２０を含み得る。マスク１０は、チャンバー２４が、マスク１０と、対象者１２の１つ又はそれより多くの外口を包みこむ対象者１２の顔と、により形成されるよう、その間に実質的に封止される界面を有する、前記対象者１２の前記顔２２に対向して配置されるよう構成される。使用の間、呼吸に適した物質が、供給源コネクタ１８を通じて、前記呼吸に適した物質の供給源（図不示）からチャンバー２４に供給され得る。
【００１４】
マスクボディ１４は、一実施形態において、封止部１６より比較的硬い（ｒｉｇｉｄ）材料（高デュロメーター材料）で作られる。例えば、マスクボディ１４は、ポリカーボネート又は他の適切な材料から作ることができる。マスクボディ１４は、マスク１０に構造的硬直性を供し、いくつかの実施形態において、封止部１６を交換するときに持ち続けられる、使い捨てマスクの一部であっても良い。マスクボディ１４／封止部構造は、２段階成形又は組立工程により形成することができる。例えば、比較的硬いマスクボディ１４は、まず形成され、その後、マスクボディ１４の周囲及び／又は中に形成するための射出成形である、封止部１６のための第二成形に入れられる。一実施形態において、マスクボディ１４及び封止部１６は、同様のデュロメーター（例えば、より低い硬さの）で作られ、マスクボディ１４及び／又は封止部１６は、単一の部品で形成されても良い。
【００１５】
封止部１６が対象者１２の顔２２に対向して保持されるときに、封止部１６が対象者１２の顔２２の形に合うよう、封止部１６は、比較的柔らかい及び／又は可撓性を有する材料で作ることができる。封止部１６は、例えば、シリコーン又はエラストマー材料で作ることができる。一実施形態において、封止部１６は、アーチ型又は部分的にチューブ状断面の構成（通常凹形の内表面及び通常凸形の外表面を有する、凹凸の断面としても参照される）を有する。一実施形態において、封止部１６は、対象者１２の顔２２に係合する、通常、丸みのある、凸型の、顔係合表面を有する。一実施形態において、顔係合表面は、より扁平で、凸型の構成を有する。また、マスクボディ１４の周囲近辺（ａｒｏｕｎｄ  ｔｈｅ  ｐｅｒｉｍｅｔｅｒ）の封止部１６の異なる領域は、異なる断面構成を有しても良い。種々の他の封止部構成が、当業者にとって明確であろう。
【００１６】
一実施形態において、封止部１６は、図１に示されるように、取付領域２８で、マスクボディ１４に取り付けられる。取付領域２８は、示されるように、マスクボディ１４及び封止部１６の各々のへり（ｅｄｇｅｓ）について、いくらか重複部分があるよう、マスクボディ１４の周囲又はへりに沿って、かつ、封止部１６の周囲又はへりに沿っても良い。したがって、重構造の接続が形成されるよう、封止部１６のある材料に係合して、マスクボディ１４のある材料が存在する。他の実施形態は、端から端まで、マスクボディ１４及び封止部材１６を、それらのへりで取り付けることによるといった（例えば、粘着性の接続のように）、重複部分がなく、及び／又はマスクボディ１４と封止部１６が単一部材として形成されて、熟慮される。
【００１７】
一実施形態において、マスクボディ１４及び封止部１６は、顎３２と唇３４との間から伸びる、係合領域３０内で、対象者１２の顔２２に係合するよう構成される。示されるように、対象者１２の口の反対側の領域３０に沿い、鼻３６を横切ってかつ鼻３６の梁を覆って（ｏｖｅｒ）。この実施形態において、封止部１６は、図１で示されるように、通常、楕円形（ｏｂｌｏｎｇ）又は梨形である。封止部１６は、したがって、上方部３８（ｕｐｐｅｒ  ｐｏｒｔｉｏｎ）、下方部４０（ｌｏｗｅｒ  ｐｏｒｔｉｏｎ）及び変遷部４２（ｔｒａｎｓｉｔｉｏｎ  ｐｏｒｔｉｏｎ）を含む。鼻３６の梁を横切って、対象者１２の顔２２に係合するよう構成され得る、上方部３８は、下方部４０の曲率半径Ｒ２よりも比較的小さい曲率半径を有する。比して大きい曲率半径を有する下方部４０は、顎３２と唇３４との間の対象者１２の顔２２に係合するよう構成することができる。変遷部４２は、通常、上方部３８から下方部４０に伸び、対象者１２の、眼の真下の顔２２に係合する。対象者１２の顔２２での封止係合を作り出すのを容易にするために、封止部１６の変遷部４２は、その横断面内で、より多くの材質を有し、チャンバー２４内のガスを、対象者１２の眼に届くことから効果的に阻止するために、マスクボディ１４から直角に離れて伸びる方向で測定されたとき、上方部３８及び下方部４０の各々より、長い直線長を有する（即ち、もし封止部１６が、直線の構成に展開され、又は真っ直ぐにされたなら）。
【００１８】
封止部１６及びマスクボディ１４の実施形態は、対象者の口及び鼻３６を包みこむよう形成され得る一方で、これは制限することを意図しない。一実施形態において、マスク１０は、対象者１２の気道のより少ない外口を包みこむよう構成することができる（即ち、鼻孔だけ、１つの鼻孔だけ、口だけ、等）。対象者１２は、年齢、サイズ、及び／又は必要とされる医療手当が変動し得るので、種々様々なマスクサイズ及び構成の間から適切な選択を必要とするために、当業者は、マスク１０の構成が変更することができ、特定のサイズ又は構成に制限されないということを理解するであろう。
【００１９】
封止部１６とは反対側のマスクボディ１４の側面では、マスクボディ１４は、供給源コネクタ１８を受けるための開口部４４を形成する。開口部４４を通じて、呼吸に適した物質が、対象者による吸入のために、チャンバー２４に供される。また、対象者１２により吐き出されたガスは、開口部４４を介して、チャンバー２４から周囲雰囲気に排気され得る。一実施形態において、開口部４４は、供給源コネクタ１８と接続するよう構成される。
【００２０】
一実施形態において、供給源コネクタ１８は、マスクボディ１４に接続されたときに、開口部４４から、供給源コネクタ１８内に形成される供給源接合部分開口部４８への、ガス流路を形成する導管４６を含む。供給源コネクタ１８は、マスクボディ１４の開口部４４と、供給源接合部開口部４８と、の間のガス流路に、呼吸に適した物質の供給源を接続するよう構成され、呼吸に適した物質は、対象者１２の吸入のために、供給源接合部開口部４８からチャンバー２４に供給され得る。一実施形態において、供給源コネクタ１８は、比較的硬い材料（例えば、硬質シリコーン樹脂）から形成される。一実施形態において、供給源コネクタ１８は、より程度が小さい硬い材料（例えば、可撓性を有するシリコーン）から形成される。一実施形態において、供給源コネクタ１８の導管４６は、マスクボディ１４とは別々に形成され、マスクボディ１４にしっかりと取り付けられる。例えば、供給源コネクタ１８は、形崩れしないスナップフィット（ｐｅｒｍａｎｅｎｔ  ｓｎａｐ  ｆｉｔ）、接着性の、熱溶着の、超音波の溶接及び／又はマスクボディ１４に固定される他の方法により、マスクボディ１４に形成される開口部３３にしっかりと取り付けることができる。
【００２１】
一実施形態において、供給源コネクタ１８は、呼吸に適した物質の供給源に、選択的かつ開放可能なように係合するよう構成される。一実施形態において、供給源コネクタ１８は、供給源に恒久的に取り付けられる及び／又は供給源と一体化して形成されるよう構成される。呼吸に適した物質の供給源は、定量噴霧器と、加圧型定量噴霧器と、噴霧器、ネブライザー、スペーサ、エアゾールディスペンサー及び／又は呼吸に適した物質の他の適切な供給源と連通する静的なチャンバー（ｓｔａｔｉｃ  ｃｈａｍｂｅｒ）との、１つ又はそれより多くを含んでも良い。マスクボディ１４と呼吸に適した物質の供給源とを正確に接続するために、供給源コネクタ１８は、図１で示されるものとは別の種々のサイズ、形、及び構成をとり得るということが、理解されるであろう。
【００２２】
排気バルブ２０は、供給源コネクタ１８上に配置され、対象者１２の、包みこまれた１つ又はそれより多くの外口から、周囲雰囲気へと呼気ガスを排気するよう構成される。しかしながら、排気バルブ２０は、さらに、周囲雰囲気の流入から、供給源コネクタ１８内に形成されるガス流路を実質的に封止するよう構成される。それで、排気バルブ２０は一方向バルブである。
【００２３】
図２は、マスク１０をどのようにして供給源から取り外すことができるかを説明する。図２で説明される実施形態において、供給源は、定量噴霧器に接続されるスペーサである。定量噴霧器は、スペーサ内に呼吸に適した物質を分配するよう構成され、呼吸に適した物質は、スペーサ／定量噴霧器団から、供給源コネクタ１８により、中に入れられる（ｒｅｃｅｉｖｅｄ）（接続されたとき）。図２で説明される実施形態において、供給源コネクタ１８の、スペーサへの選択的に取り外し可能な取り付けは、摩擦適合（ｆｒｉｃｔｉｏｎ  ｆｉｔ）を介して成し遂げられる。
【００２４】
図３は、本発明の１つ又はそれより多くの実施形態に従う、マスク１０の断面図を示す。図３で示される図において、封止部１７は、顔２２とマスクボディ１４との間のチャンバー２４を形成するために、対象者１２の顔２２と係合している。対象者１２による吸入の間、呼吸に適した物質と混合された空気は、供給源コネクタ１８及び開口部４４を介してチャンバー２４内に入れられる。対象者１２による排気の間、チャンバー２４内の圧力が排気バルブ２０を開き、それにより、チャンバー２４から周囲雰囲気へと排気ガスを放出する。
【００２５】
図２で示される実施形態において、排気バルブ２０は、導管４６内に形成された排気開口部５０と、バルブ部材５２とを含む。バルブ部材５２の初期位置は、周囲雰囲気のガスの流入から、導管４６を実質的に封止するために、排気開口部５０を覆っている。一実施形態において、バルブ部材５２は、バネバイアス（ｂｉａｓ）、磁力、重力、バルブ部材５２の材料の弾力性、及び／又は他の力の１つ又はそれより多くにより、この初期位置にバイアスがかけられる。一実施形態において、バルブ部材５２は、取り付け側（ａｔｔａｃｈｅｄ  ｓｉｄｅ）５４に沿って、供給源コネクタ１８に取り付けられるだけである。もしチャンバー２４内の圧力が、所定のレベルに達すると、バルブ部材５２は、チャンバー２４内のガスを大気に放出するように、排気開口部５０から離れるように作動する。一実施形態において、排気開口部５０から離れるように作動するために、バルブ部材５２は、取り付け側５４で又は近くで、旋回する。取り付け側５４で又は近くでの、バルブ部材５２の旋回は、取り付け側５４で又は近くで供される蝶番（ｈｉｎｇｅ）により得る。一実施形態において、排気開口部５０から離れるよう作動するために、バルブ部材５２は、排気開口部５０から離れるよう弾性的に曲がる。
【００２６】
マスクボディ１４上よりは寧ろ、供給源コネクタ１８上の排気バルブ２０の配置は、マスク１０の機能性に、１つ又はそれより多くの強化を供することができる。例えば、通常、マスクボディ１４は、介護人が、対象者１２による治療の受け取りを視覚的に観察できるために、透明又は半透明材料から形成される。介護人は、例えば、受けている治療の効果に関する示唆、及び／又は対象者１２が呼吸の間、適切に酸素が供給されているという示唆のために、包みこまれている１つ又はそれより多くの外口を観察することができる。非制限の例の目的で、介護人は、吸入するために費やされている労力のいくらかの量を示唆する、吸気の間の対象者１２の口が開いているかどうか及び／又は対象者１２の鼻孔が広がるかどうかを、検討することができる。他の例として、紫又は青になる唇は、対象者１２が適切に酸素供給されていないということを示唆し得るので、介護人は、対象者１２の唇３４の色を観察しても良い。供給源コネクタ１８上に排気バルブ２０を配置することにより、介護人には、治療の間、対象者１２の口及び／又は鼻の実質的に妨げられない視界が供される。
【００２７】
一実施形態において、排気開口部５０の除覆は、対象者１２による呼気について、介護人に指標を供する。図２で説明される実施形態において、対象者１２による吸気に由来するチャンバー２４内の圧力により、バルブ部材５２は、排気開口部を除覆して、排気ガスを周囲雰囲気に排気するよう、排気開口部５０から離れるよう作動する。図２で供される説明及び上記記載から理解されるべきであるように、バルブ部材５２の作動は、バルブ部材５２が、取り付け側５４で又は近くで旋回すること又は弾性的に曲がることを含む。この旋回すること又は曲がることは、介護人に観察可能であろうし、対象者１２が息を吸っているという、介護人に対する指標（ｍａｒｋｅｒ）を供する。取り付け側５４で又は取り付け側５４に沿って、蝶番の実施は、場合によっては、バルブ部材５２の可動域を増加させ、対象者１２による排気についての、バルブ２０により供される可視指標をさらに良くする。呼吸の所定の数に関して与えられる、マスク１０を通じて管理された治療に関して（例えば定量噴霧器からの治療、等）、介護人にマーキングのための方法（ｍｅｃｈａｎｉｓｍ）を供すること及び／又は呼吸を数えることは、治療の管理を容易にする。
【００２８】
排気開口部５０から離れるようにバルブ部材５２が作動することが、対象者１２が息を吸っているという、介護人に対する指標を供与するという実施形態において、排気バルブ２０の少なくとも２つの設計バルブ（ｄｅｓｉｇｎ  ｖａｌｖｅ）の間に、張力が存在するということが、理解されるであろう。第一設計バルブは、排気について介護人に供された指標の感度であり、第二設計バルブは、排気バルブ２０と関連する排気ガスに対する抵抗の減少である。特に、子供、高齢者及び／又はとりわけ弱い対象者にとって、呼気に対して適切に感知できるように、排気開口部５０の開口サイズは、縮小しても良い。これにより、呼気の間、チャンバー２４内の圧力は増加し、排気開口部５０を通じうるガスのフロー速度、バルブ部材への、ガスにより印加される対応する力、それら全てが、呼気に対する指標の感度を良くするであろう。しかしながら、排気開口部５０のサイズの縮小により引き起こされる排気開口部２０の抵抗の増加に起因する、呼気の間のチャンバー２４内の圧力の増加は、１つ又はそれより多くの不利と関連する。これらの不利は、増加した圧力、背圧及び／又は呼気に対する抵抗並びに／若しくは他の不利に起因する、対象者１２の不快感（特に、より強い対象者にとって）を含む。
【００２９】
図４は、より強い対象者に関して、呼気の間、排気バルブ２０の抵抗を減少しながら、排気バルブ２０により供される呼気の指標の感度が高められる実施形態を説明する。本実施形態において、図４で示されるように、排気バルブ２０は、供給源コネクタ１８内に形成される、２つの別々の排気開口部、第一排気開口部６６及び第二排気開口部６８を含む。それらは、各々、第一バルブ部材７０及び第二バルブ部材７２により覆われている。
【００３０】
一実施形態において、第一排気開口部６６の面積は、第二排気開口部より大きい。第一バルブ部材７０の外周は、第一排気開口部６６のへりに対応し、周囲雰囲気からマスクボディ１４及び対象者の顔により形成されるチャンバーへの、第一排気開口部６６を通じたガスの流入を阻止するために、第一バルブ部材７０が第一排気開口部６６を覆う、初期位置を有する。同様に、第二バルブ部材７２の外周は、第二排気開口部６８のへりに対応し、第二排気開口部６８を通じた、周囲雰囲気からのガスの流入を阻止するために、第二バルブ部材７２が第一排気開口部６８を覆う、初期位置を有する。第一バルブ部材７０及び第二バルブ部材７２は、各々、取り付けへり（ａｔｔａｃｈｅｄ  ｅｄｇｅｓ）７４及び７６で供給源コネクタに取り付けられる。第一バルブ部材７０及び第二バルブ部材７２は、第一排気開口部６６及び第二排気開口部６８から離れて作動するよう、取り付けへり７４及び７６で又は近くで、旋回する又は弾性的に曲がるよう構成される。一実施形態において、第一バルブ部材７０及び第二バルブ部材７２の一方又は両方は、取り付け側７４及び／又は取り付け側７６に沿って配置される蝶番により、排気バルブ２０に取り付けられる。
【００３１】
一実施形態において、マスクボディ１４及び対象者の顔により形成されるチャンバー内の第一圧力で又はそれより高くで、第一バルブ部材７０は、チャンバー内から大気にガスを排気するために、第一排気開口部６８から離れるよう作動し、それにより、対象者の呼気の指標を供する。第一圧力より高い第二圧力で又はそれより高くで、第二バルブ部材７２は、チャンバー内から大気にガスを排気するために、第二排気開口部６８から離れるように作動し、それにより、排気バルブ２０を通ってチャンバーから外に流れるガスに対する、排気バルブ２０の抵抗を減少する。第一排気開口部６６及び第二排気開口部６８の相対的サイズ差を供することに対する代わりに及び／又はさらに、第一圧力と第二圧力との間の圧力差をさらに調整するために、及び／又は第一バルブ部材７０が、呼気に関して適切な指標を供することを保証するために、第一バルブ部材７０及び第二バルブ部材７２の相対的厚さ及び／又は重さは異なっていても良い。
【００３２】
一実施形態において、第一バルブ部材７０及び第二バルブ部材７２は、別々の材料片から形成される。一実施形態において、第一バルブ部材７０及び第二バルブ部材７２は、第一バルブ部材７０を第二バルブ部材７２から区分するアンカー（ａｎｃｈｏｒ）を供する、横材７７を有する、単一の材料片から形成される。横材７７は、取り付けへり７４及び７６に沿って、所定の位置にバルブ部材７０及び７２を形成する材料片を支える、剛構造である。
【００３３】
より強い及び／又は膨大な呼気の間、排気バルブ２０の抵抗を減少しながら、排気バルブ２０により供される呼気の指標の感度を高める、図４に示される排気バルブ２０の実施形態は、制限することを意図しないということが、理解されるであろう。この特徴の公開の範囲は、もしチャンバー内の圧力が、第一の、相対的に低い圧力と等しい又はそれより高いなら、マスクボディ１４と対象者の顔との間に形成されるチャンバー内からガスを排気するために、１つ又はそれより多くの排気開口部の第一部が除覆され、かつ、もしチャンバー兄の圧力が、第一圧力より高い第二圧力と等しい又はそれより高いなら、ガスを排気するために、１つ又はそれより多くの排気開口部の第二部が除覆される、如何なる実施形態を含む。例えば、複数のバルブ部材が単一の排気開口部を覆っても良い。他の例として、１つ又はそれより多くの排気開口部を覆うバルブ部材は、一方が留めてある蓋状のもの（フラップ；flaps）であっても良く、そうでなくても良い（例えば、一方のへりに沿って取り付けられる）。排気バルブ２０内に含められるバルブ部材及び／又は排気開口部の数は、２つより多くても良い。排気バルブ２０の排気開口部は、各々、離ればなれに配置されても良い（例えば、図４に示されるように隣接しないで）。排気バルブ２０は、供給源コネクタ１８上よりも寧ろ、マスクボディ１４上に形成される１つ又はそれより多くの排気開口部を含んでも良い。
【００３４】
図５は、呼吸に適した物質の供給を容易にするために、大気から対象者の気道を区分けすることについての方法７８を説明する。下記で提示される方法７８の操作は、説明に役立つよう意図される。いくつかの実施形態において、方法７８は、述べられない１つ又はそれより多くの追加的操作、及び／又は議論された１つ又はそれより多くの操作無しで、遂行することができる。さらに、方法７８の操作が、図５で説明され、下記で述べられる順番は、制限することを意図しない。（図１〜４で示され、上述された）マスク１０と同じ又は同様である、マスクの構成要素を参照して、方法７８の操作が述べられるが、これは制限することを意図しない。方法７８は、この開示の範囲から逸脱することなく、種々の他の文脈内で、実行することができる。
【００３５】
操作８０において、対象者の気道の１つ又はそれより多くの外口を包み込むチャンバーが、形成される。チャンバーは、対象者の顔により一部が形成される。一実施形態において、操作８０は、（図１〜４に示され、上述された）マスクボディ１４と同じ又は同様である、マスクボディにより実行される。
【００３６】
操作８２において、呼吸に適した物質の供給源は、導管を介して、チャンバーと連通して配置される。導管は、供給源と接続するよう構成される供給源接合部分開口部と、チャンバー内に形成される物質開口部と、の間のガス流路を形成する。一実施形態において、操作８２は、（図１〜４で示され、上述された）供給源コネクタ１８と同じ又は同様である、供給源コネクタにより実行される。
【００３７】
操作８４において、呼吸に適した物質は、周囲雰囲気からチャンバー及び／又は導管への流入を許すことなく、呼吸に適した物質の供給源から、チャンバーに供給される。これは、１つ又はそれより多くの排気開口部を介して、チャンバーに入ることによる周囲雰囲気のガスの流入を阻止することを含んでも良い。前記１つ又はそれより多くの排気開口部は、導管内及び／又はチャンバー内に形成される１つ又はそれより多くの排気開口部を含んでも良い。一実施形態において、操作８４は、（図１〜４で示され、上述された）排気バルブ２０と同じ又は同様である、排気バルブにより実行される。
【００３８】
操作８６において、対象者により吐き出されたガスは、１つ又はそれより多くの排気開口部を通じて、周囲雰囲気に排気される。一実施形態において、操作８６は、チャンバー内の第一圧力で又はそれより高くで、１つ又はそれより多くの排気開口部の第一部を除覆する、第一除覆段階及び／又は前記第一圧力よりも高い、チャンバー内の第二圧力で又はそれより高くで、１つ又はそれより多くの排気開口部の第二部を除覆する、第二除覆段階を含む。一実施形態において、操作８６は、（図１〜４で示され、上述された）排気バルブ２０と同じ又は同様である、排気バルブにより実行される。
【００３９】
本発明は、最も実用的で、好ましいと現在考えられていることに基づき、説明の目的のために、詳細に述べられてきたが、そのような詳細は、単に前記目的のためであり、本発明は開示された実施形態に制限されない、それどころか、添付した特許請求の範囲の精神と範囲の中で、修正及び同等の構成をカバーすることが意図される、
ということが理解され得る。例えば、本発明は、可能な程度で、如何なる実施形態の１つ又はそれより多くの特徴が、如何なる他の実施形態の１つ又はそれより多くの特徴と組み合わせることができるということを検討するということが理解され得る。
【図１】
2012513808.tif 000003
【図２】
2012513808.tif 000004
【図３】
2012513808.tif 000005
【図４】
2012513808.tif 000006
【図５】
2012513808.tif 000007
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
対象者の気道の１つ又は複数の外口を包みこむよう構成されるマスクボディであって、当該マスクボディは、呼吸に適した物質を当該マスクボディにより包みこまれる前記１つ又は複数の外口に伝えることができる、物質開口部を形成する、マスクボディ；
前記マスクボディ上に配置される供給源コネクタであって、当該供給源コネクタは、前記マスクボディの前記物質開口部と、当該供給源コネクタ内に形成される供給源接合部分開口部と、の間のガス流路を形成する導管を含み、該導管は、前記マスクボディからおおよそ垂直に伸び、当該供給源コネクタは、前記マスクボディの前記物質開口部と前記供給源接合部分開口部との間の前記ガス流路に、前記呼吸に適した物質の供給源を接続するよう構成される、供給源コネクタ；
前記マスクボディに取り付けられ、前記対象者の前記気道の前記１つ又は複数の外口を囲むように、前記対象者の顔と前記マスクボディとの間の実質的な封止係合を供するよう構成される、マスク封止部；及び
前記供給源コネクタ上に配置され、前記供給源コネクタにより形成されるガス流路内のガスを、周囲雰囲気へと排気できるよう、かつ、周囲雰囲気の流入から前記ガス流路を実質的に封止できるよう、構成される、一方向バルブ；
を含む、呼吸に適した物質の供給のために、対象者の気道を実質的に封止するためのマスク。
【請求項２】
前記一方向バルブは、もし開放するなら、前記供給源コネクタにより形成される前記ガス流路と周囲雰囲気とを連通する、前記供給源コネクタ内の排気開口部を形成し、
前記一方向バルブは、
（１）周囲雰囲気の流入から前記ガス流路を実質的に封止するために、前記対象者による吸気の間、前記排気開口部を覆うよう、かつ、
（２）前記対象者の前記１つ又は複数の外口から吐き出されたガスを、周囲雰囲気に排気するために、前記対象者による呼気の間、前記排気開口部を除覆するよう、
構成される１つ又は複数のバルブ部材を含む、請求項１に記載のマスク。
【請求項３】
前記１つ又は複数のバルブ部材は、前記排気開口部が覆われているかどうかについての、視覚的な表示を供するよう構成される、請求項２に記載のマスク。
【請求項４】
前記１つ又は複数のバルブ部材は、前記排気開口部を除覆するために、前記排気開口部から離れるよう作動を行うフラップを有し、
前記排気開口部から離れる、前記バルブ部材の前記作動が、前記排気開口部が覆われているかどうかについての、視覚的な前記表示を供する、
請求項３に記載のマスク。
【請求項５】
吐き出された前記ガスが前記排気開口部を通じて周囲雰囲気に排気されるとき、前記排気開口部を除覆するために、前記１つ又は複数のバルブ部材は、前記対象者の前記１つ又は複数の外口から吐き出された前記ガスの力によって前記排気開口部から離れるよう作動を行う、請求項３に記載のマスク。
【請求項６】
前記１つ又は複数のバルブ部材は、複数のバルブ部材から成り、
該バルブ部材の少なくとも１つは、他の前記バルブ部材より少ない力で、前記排気開口部から離れるように前記作動を行うよう構成される、請求項５に記載のマスク。
【請求項７】
前記一方向バルブにより実質的に妨げられない、前記対象者の前記気道の前記１つ又は複数の外口の視界が、介護人に供されるよう、前記マスクボディは、少なくとも一部分において、実質的に透明な材料で形成される、請求項１に記載のマスク。
【請求項８】
対象者の気道の１つ又は複数の外口を包みこむチャンバーを形成し、該チャンバーの一部は、前記対象者の顔により形成される、形成手段；
供給源接合部分開口部と、該供給源接合部分開口部に呼吸に適した物質の供給源を接続することにより前記チャンバー内に形成される物質開口部と、の間のガス流路を形成する導管を介して、前記チャンバーと連通する前記呼吸に適した物質の供給源を設置し、前記管は、前記マスクボディからおおよそ垂直に広がる、設置手段；
周囲雰囲気から前記導管への流入を許すことなく、前記導管を通じて、前記呼吸に適した物質の前記供給源から前記チャンバーに、前記呼吸に適した物質を供給する、供給手段；及び
前記導管内の排気開口部を通じて、前記対象者により吐き出されたガスを、周囲雰囲気に排出する排出手段；
を含む、呼吸に適した物質の供給のために、対象者の気道を実質的に封止するためのマスク。
【請求項９】
前記供給手段は、前記排気開口部を、１つ又は複数のバルブ部材を有するバルブ部材で覆う手段を含み、
前記排気手段は、前記排気開口部を除覆するために、前記排気開口部から離れるよう、前記１つ又は複数のバルブ部材の作動をさせる手段を含む、
請求項８に記載のマスク。
【請求項１０】
前記排気開口部が覆われているかどうかについての、視覚的な表示を供する手段をさらに含む、請求項９に記載のマスク。
【請求項１１】
前記１つ又は複数のバルブ部材はフラップを含み、
前記排気開口部から離れる、前記フラップの前記作動は、前記排気開口部が覆われているかどうかについての、視覚的な前記表示を供する、請求項１０に記載のマスク。
【請求項１２】
吐き出された前記ガスが前記排気開口部を通じて周囲雰囲気に排気されるとき、前記排気開口部を除覆するために、前記１つ又は複数のバルブ部材は、前記対象者の前記１つ又は複数の外口から吐き出された前記ガスの力によって前記排気開口部から離れるよう前記作動を行う、請求項１０に記載のマスク。
【請求項１３】
前記１つ又は複数のバルブ部材は、複数のバルブ部材から成り、
該バルブ部材の少なくとも１つは、他の前記バルブ部材より少ない力で、前記排気開口部から離れるように前記作動を行うよう構成される、請求項１２に記載のマスク。
【請求項１４】
前記排気開口部と、該排気開口部を覆う前記１つ又は複数のバルブ部材と、により実質的に妨げられない、前記対象者の前記気道の前記１つ又は複数の外口の視界が、介護人に供されるよう、前記チャンバーは、少なくとも一部分において、実質的に透明な材料で形成される、請求項９に記載のマスク。
【国際調査報告】
2012513808.tif 000008
2012513808.tif 000009
2012513808.tif 000010